【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
動的スペクトルアービトラージ（ＤＳＡ）システムであって、
ホーム加入者サーバ（ＨＳＳ）プロセッサを備えるＨＳＳと、
第１の通信リンクを介して前記ＨＳＳと結合された移動性管理実体（ＭＭＥ）プロセッサを備えるＭＭＥと、
第２の通信リンクを介して前記ＭＭＥと結合されたｅＮｏｄｅＢプロセッサを備えるｅＮｏｄｅＢと、
第３の通信リンクを介して前記ｅＮｏｄｅＢと結合された動的スペクトルコントローラ（ＤＳＣ）プロセッサを備えるＤＳＣと、
第４の通信リンクを介して前記ＤＳＣと結合された動的スペクトルポリシコントローラ（ＤＰＣ）プロセッサを備えるＤＰＣと、
を備え、
前記ＨＳＳプロセッサは、プロセッサ実行可能命令を用いて、
前記ＨＳＳのメモリに記憶されたＨＳＳ情報が、ワイヤレスデバイスに関して変更されたかどうかを判断し、
前記ＨＳＳ情報が変更されたとの判断に応答して、前記変更が、前記ＭＭＥのユーザプロファイルリポジトリに記憶されたユーザプロファイル情報に影響するかどうかを判断し、
前記変更を識別する情報を含む変更データ通信メッセージを生成し、
前記第１の通信リンクを介して、前記生成された変更データ通信メッセージを前記ＭＭＥに送信すること、
を含む動作を実行するように構成され、
前記ＭＭＥプロセッサは、プロセッサ実行可能命令を用いて、
前記第１の通信リンクを介して前記変更データ通信メッセージを受信し、
前記受信した変更データ通信メッセージに含まれる情報を使用して、公衆データネットワーク（ＰＤＮ）加入コンテキストが、前記ＭＭＥ内に関連するアクティブＰＤＮ接続を有するかどうかを判断し、
加入サービス品質（ＱｏＳ）プロファイルが変更されたかどうかを判断し、
加入ＱｏＳ変更動作を実行すること、
を含む動作を実行するように構成される、動的スペクトルアービトラージ（ＤＳＡ）システム。
【請求項２】
前記ＭＭＥプロセッサは、プロセッサ実行可能命令を用いて、
前記受信した変更データ通信メッセージに含まれるユーザプロファイル情報を前記ユーザプロファイルリポジトリに追加すること、
を含む動作を実行するように構成される、請求項１に記載のＤＳＡシステム。
【請求項３】
前記ＭＭＥプロセッサは、プロセッサ実行可能命令を用いて、
前記受信した変更データ通信メッセージに含まれる情報を使用して、前記ユーザプロファイルリポジトリに記憶されたユーザプロファイル情報を変更すること、
を含む動作を実行するように構成される、請求項１に記載のＤＳＡシステム。
【請求項４】
前記ＭＭＥプロセッサは、プロセッサ実行可能命令を用いて、
切断されたワイヤレスの加入データ及びモバイル管理コンテキストが削除されたかどうかを判断し、
前記切断されたワイヤレスの前記加入データ及び前記モバイル管理コンテキストが削除されたとの判断に応答して、前記第１の通信リンクを介してパージ通信メッセージを前記ＨＳＳに送信すること、
を含む動作を実行するように構成される、請求項１に記載のＤＳＡシステム。
【請求項５】
前記ＨＳＳプロセッサは、プロセッサ実行可能命令を用いて、
前記第１の通信リンクを介して前記パージ通信メッセージを受信し、
前記パージ通信メッセージの受信に応答して、パージフラグを設定すること、
を含む動作を実行するように構成される、請求項４に記載のＤＳＡシステム。
【請求項６】
前記ＤＰＣプロセッサは、プロセッサ実行可能命令を用いて、
オークションに提出された資源が前記オークションから撤回すべきであることを示す資源撤回通信メッセージを第２のＤＳＣから受信し、
前記第４の通信リンクを介して、前記受信した資源撤回通信メッセージを前記ＤＳＣに送信すること、
を含む動作を実行するように構成される、請求項１に記載のＤＳＡシステム。
【請求項７】
前記ＤＳＣプロセッサは、プロセッサ実行可能命令を用いて、
前記ＤＰＣから第４の通信リンクを介して前記資源撤回通信メッセージを受信し、
前記第３の通信リンクを介して、前記示された資源と関連付けられたクローズド加入者グループ識別子を削除する要求を前記ｅＮｏｄｅＢに送信すること、
を含む動作を実行するように構成される、請求項６に記載のＤＳＡシステム。
【請求項８】
前記ｅＮｏｄｅＢプロセッサは、プロセッサ実行可能命令を用いて、
前記第３の通信リンクを介して、前記クローズド加入者グループ識別子を削除する前記要求を前記ＤＳＣから受信し、
アクティブ資源のリストから前記クローズド加入者グループ識別子を除去することにより、前記アクティブ資源のリストを更新し、
前記更新されたアクティブ資源のリストを含む構成更新通信メッセージを生成し、
前記第２の通信リンクを介して、前記構成更新通信メッセージを前記ＭＭＥに送信すること、
を含む動作を実行するように構成される、請求項７に記載のＤＳＡシステム。
【請求項９】
前記ＤＳＣプロセッサが、第５の通信リンクを介して前記ＨＳＳと結合し、及び
前記ＤＳＣプロセッサが、第６の通信リンクを介して前記ＭＭＥと結合する、請求項１に記載のＤＳＡシステム。
【請求項１０】
前記ＨＳＳプロセッサは、プロセッサ実行可能命令を用いて、
前記第５の通信リンクを介して、更新ＨＳＳ情報を前記ＤＳＣから受信し、
前記更新ＨＳＳ情報が、前記ＭＭＥのユーザプロファイルリポジトリに記憶されたユーザプロファイル情報に影響するかどうかを判断すること、
を含む動作を実行するように構成される、請求項９に記載のＤＳＡシステム。
【請求項１１】
情報を同期する動的スペクトルアービトラージ（ＤＳＡ）方法であって、
ホーム加入者サーバ（ＨＳＳ）のメモリに記憶されたＨＳＳ情報が、ワイヤレスデバイスに関して変更されたかどうかを前記ＨＳＳのプロセッサにおいて判断し、
前記ＨＳＳ情報が変更されたとの判断に応答して、前記変更が、移動性管理実体（ＭＭＥ）のユーザプロファイルリポジトリに記憶されたユーザプロファイル情報に影響するかどうかを判断し、
前記変更を識別する情報を含む変更データ通信メッセージを生成し、
前記生成された変更データ通信メッセージを前記ＭＭＥに送信し、
前記ＭＭＥのＭＭＥプロセッサにおいて、前記変更データ通信メッセージを受信し、
前記受信した変更データ通信メッセージに含まれる情報を使用して、公衆データネットワーク（ＰＤＮ）加入コンテキストが、前記ＭＭＥ内に関連するアクティブＰＤＮ接続を有するかどうかを判断し、
加入サービス品質（ＱｏＳ）プロファイルが変更されたかどうかを前記ＭＭＥプロセッサによって判断し、
前記加入ＱｏＳプロファイルが変更されたとの判断に応答して、前記ＭＭＥプロセッサによって加入ＱｏＳ変更動作を実行すること、
を含む、動的スペクトルアービトラージ（ＤＳＡ）方法。
【請求項１２】
前記受信した変更データ通信メッセージに含まれるユーザプロファイル情報を前記ＭＭＥの前記ユーザプロファイルリポジトリに追加すること、
をさらに含む、請求項１１に記載のＤＳＡ方法。
【請求項１３】
前記受信した変更データ通信メッセージに含まれる情報を使用して、前記ＭＭＥの前記ユーザプロファイルリポジトリに記憶されたユーザプロファイル情報を変更すること、
をさらに含む、請求項１１に記載のＤＳＡ方法。
【請求項１４】
ホーム加入者サーバ（ＨＳＳ）であって、
メモリと、
前記メモリと結合されたプロセッサと
を備え、前記プロセッサは、プロセッサ実行可能命令を用いて、
移動性管理実体（ＭＭＥ）サーバへの第１の通信リンクを確立し、
前記メモリに記憶されたＨＳＳ情報が、ワイヤレスデバイスに関して変更されたかどうかを判断し、
前記ＨＳＳ情報が変更されたとの判断に応答して、前記変更が、前記ＭＭＥのユーザプロファイルリポジトリに記憶されたユーザプロファイル情報に影響するかどうかを判断し、
加入サービス品質（ＱｏＳ）プロファイルが前記ワイヤレスデバイスに関して変更されたと判断するための情報を含む前記変更を識別する情報を含む変更データ通信メッセージを生成し、
前記第１の通信リンクを介して、前記生成された変更データ通信メッセージを前記ＭＭＥに送信すること、
を含む動作を実行するように構成される、ホーム加入者サーバ（ＨＳＳ）。
【請求項１５】
前記プロセッサは、プロセッサ実行可能命令を用いて、前記変更データ通信メッセージを生成することが、公衆データネットワーク（ＰＤＮ）加入コンテキストが、前記ＭＭＥ内に関連するアクティブＰＤＮ接続を有するかどうかを判断するための情報を含むように前記変更データ通信メッセージを生成することを含むような動作を実行するように構成される、請求項１４に記載のＨＳＳ。